(57)【要約】    【課題】  別途機器を用意することなく、簡便にディスク間のデータ移動を実現することができる画像処理装置及びそのデータ管理方法、並びにプログラムを提供する。    【解決手段】  ビデオカメラ１００は、ディスク１６ａ，１６ｂ，１６ｃを本体に装着するカムコーダであって、本体に内蔵されるＨＤＤ２０と、マイクロコンピュータからなり、全体を制御するシステム制御回路２１と、システム制御回路２１にユーザが種々の指示を入力する操作装置２２と、動作状況などを表示する表示装置２３とを備える。最も空き容量が大きいディスクとして抽出されたバッファディスク（ディスク１６ａ，１６ｃ）の空き容量が、最もデータ容量の大きいものとして抽出されたブランク化ディスク（ディスク１６ｂ）中に保持されているファイルの容量より大きいときに、この抽出されたファイルの移動先を上記抽出されたディスクに設定する。【選択図】      図２
2006101458.tif 000002
【特許請求の範囲】
【請求項１】
本体に装着可能な複数の記憶媒体への画像データの読み取り及び書き込みを一元管理する画像処理装置において、
前記複数の記憶媒体で保持される画像データのうちユーザ選択されたものを移動対象データとして設定する移動対象データ設定手段と、
前記移動対象データの内容及び前記複数の記憶媒体のうち前記移動対象データを保持する記憶媒体以外のもののデータ記録状態に基づいて、前記移動対象データを保持する記憶媒体以外のものであって、前記複数の記憶媒体のうち前記移動対象データを退避させる記憶媒体を設定する退避用記憶媒体設定手段とを備えることを特徴とする画像処理装置。
【請求項２】
前記退避用記憶媒体設定手段は、
前記複数の記憶媒体のうち前記移動対象データを保持する記憶媒体以外のものの空き容量と前記移動対象データのデータ容量に基づいて、前記退避させる記憶媒体を設定することを特徴とする請求項１記載の画像処理装置。
【請求項３】
前記退避用記憶媒体設定手段は、
前記複数の記憶媒体のうち前記移動対象データを保持する記憶媒体以外のものが保持する画像データの種類と前記移動対象データの種類に基づいて、前記退避させる記憶媒体を設定することを特徴とする請求項１記載の画像処理装置。
【請求項４】
前記移動対象データを保持する記憶媒体が本体に装着されたときに、当該移動対象データを保持する記憶媒体から前記移動対象データを前記画像処理装置内に移動する第１のデータ移動手段と、前記退避させる記憶媒体として設定された記憶媒体が本体に装着されたときに、前記画像処理装置内から前記移動対象データを当該退避させる記憶媒体として設定された記憶媒体に移動する第２のデータ移動手段とを備えることを特徴とする請求項１乃至３のいずれか１項に記載の画像処理装置。
【請求項５】
前記複数の記憶媒体のうち本体に装着すべきものをユーザに通知する通知手段を備えることを特徴とする請求項４記載の画像処理装置。
【請求項６】
前記第１のデータ移動手段による前記移動対象データの移動があったときに、前記移動対象データを保持する記憶媒体を当該移動対象データを回収する先の記憶媒体に設定する回収先記憶媒体設定手段と、
前記第２のデータ移動手段による前記移動対象データの移動があったときに、当該退避させる記憶媒体として設定された記憶媒体を当該移動対象データを回収する元の記憶媒体に設定する回収元記憶媒体設定手段とを備えることを特徴とする請求項４又は５記載の画像処理装置。
【請求項７】
ユーザよりデータの回収指示があったときに、前記回収する先の記憶媒体として設定された記憶媒体を本体に装着する旨をユーザに通知する通知手段と、
前記回収する先の記憶媒体として設定された記憶媒体が本体に装着されたときに、当該回収する先の記憶媒体として設定された記憶媒体の空き容量の情報を取得する空き容量情報取得手段と、
前記移動対象データのデータ容量に対して、前記取得した空き容量が十分であるときに、前記回収する元の記憶媒体として設定された記憶媒体にある前記移動対象データを前記回収する先の記憶媒体として設定された記憶媒体に回収することを特徴とする請求項６記載の画像処理装置。
【請求項８】
前記回収する元の記憶媒体として設定された記憶媒体が本体に装着されたときに、当該回収する元の記憶媒体として設定された記憶媒体から前記移動対象データを前記画像処理装置内に移動する第３の移動手段と、前記回収する先の記憶媒体として設定された記憶媒体が本体に装着されたときに前記画像処理装置内に移動したデータを当該回収する先の記憶媒体として設定された記憶媒体に移動する第４の移動手段とを備えることを特徴とする請求項６又は７記載の画像処理装置。
【請求項９】
前記画像再生装置は、カムコーダであることを特徴とする請求項１乃至８のいずれか１項に記載の画像処理装置。
【請求項１０】
前記画像再生装置は、ＨＤＤ，ＤＶＤハイブリッドレコーダであることを特徴とする請求項１乃至８のいずれか１項に記載の画像処理装置。
【請求項１１】
本体に装着可能な複数の記憶媒体への画像データの読み取り及び書き込みを一元管理する画像処理装置のデータ管理方法において、
前記複数の記憶媒体で保持される画像データのうちユーザ選択されたものを移動対象データとして設定する移動対象データ設定ステップと、
前記移動対象データの内容及び前記複数の記憶媒体のうち前記移動対象データを保持する記憶媒体以外のもののデータ記録状態に基づいて、前記移動対象データを保持する記憶媒体以外のものであって、前記複数の記憶媒体のうち前記移動対象データを退避させる記憶媒体を設定する退避用記憶媒体設定ステップとを備えることを特徴とするデータ管理方法。
【請求項１２】
本体に装着可能な複数の記憶媒体への画像データの読み取り及び書き込みを一元管理する画像処理装置のデータ管理方法を実行するプログラムにおいて、
前記複数の記憶媒体で保持される画像データのうちユーザ選択されたものを移動対象データとして設定する移動対象データ設定モジュールと、
前記移動対象データの内容及び前記複数の記憶媒体のうち前記移動対象データを保持する記憶媒体以外のもののデータ記録状態に基づいて、前記移動対象データを保持する記憶媒体以外のものであって、前記複数の記憶媒体のうち前記移動対象データを退避させる記憶媒体を設定する退避用記憶媒体設定モジュールとを備えることを特徴とするプログラム。
【発明の詳細な説明】
【技術分野】
【０００１】
本発明は、画像処理装置及びそのデータ管理方法、並びにプログラムに関し、特に複数の記憶媒体に記憶されているデジタル動画像データの画像処理を行う画像処理装置及びそのデータ管理方法、並びにプログラムに関する。
【背景技術】
【０００２】
近年、画像データをデジタルデータとして光ディスクなどのディスク媒体に記録するディスクカムコーダが登場している。ユーザは、１つのディスクに多数のシーンを記録することになるが、このように多数のシーンを記録したディスクが増えてくると、必要なシーンのみを１つのディスクに集めたいという要求がある。
【０００３】
また、ディスクの残量が少ない場合には長時間の記録を行うことができないため、一時他のメディアに移動しておいて空き容量を増やす必要がある。
【０００４】
その場合、２台のカムコーダを用いてダビングを行うことが一般的である（例えば、特許文献１参照）。
【特許文献１】特開２００３−２２９８６０号公報
【発明の開示】
【発明が解決しようとする課題】
【０００５】
しかし、ダビングを行うためには、カムコーダ本体とは別にもう１台記録又は再生用の装置を用意する必要があり、簡便性に欠ける。また、旅行先などでディスクの残量が少なくなってしまい、ディスクの空き容量を増やしたい場合であっても、旅行先に２台のレコーダを持っていくことは稀であり、その場合には前述の方法で他のメディアにデータを移動することができず、ディスクに空きを作るためには記録したデータを消去するしかなかった。
【０００６】
本発明の目的は、別途機器を用意することなく、簡便にディスク間のデータ移動を実現することができる画像処理装置及びそのデータ管理方法、並びにプログラムを提供することにある。
【課題を解決するための手段】
【０００７】
上記目的を達成するために、請求項１記載の画像処理装置は、本体に装着可能な複数の記憶媒体への画像データの読み取り及び書き込みを一元管理する画像処理装置において、前記複数の記憶媒体で保持される画像データのうちユーザ選択されたものを移動対象データとして設定する移動対象データ設定手段と、前記移動対象データの内容及び前記複数の記憶媒体のうち前記移動対象データを保持する記憶媒体以外のもののデータ記録状態に基づいて、前記移動対象データを保持する記憶媒体以外のものであって、前記複数の記憶媒体のうち前記移動対象データを退避させる記憶媒体を設定する退避用記憶媒体設定手段とを備えることを特徴とする。
【０００８】
上記目的を達成するために、請求項１１記載のデータ管理方法は、本体に装着可能な複数の記憶媒体への画像データの読み取り及び書き込みを一元管理する画像処理装置のデータ管理方法において、前記複数の記憶媒体で保持される画像データのうちユーザ選択されたものを移動対象データとして設定する移動対象データ設定ステップと、前記移動対象データの内容及び前記複数の記憶媒体のうち前記移動対象データを保持する記憶媒体以外のもののデータ記録状態に基づいて、前記移動対象データを保持する記憶媒体以外のものであって、前記複数の記憶媒体のうち前記移動対象データを退避させる記憶媒体を設定する退避用記憶媒体設定ステップとを備えることを特徴とする。
【０００９】
上記目的を達成するために、請求項１２記載のプログラムは、本体に装着可能な複数の記憶媒体への画像データの読み取り及び書き込みを一元管理する画像処理装置のデータ管理方法を実行するプログラムにおいて、前記複数の記憶媒体で保持される画像データのうちユーザ選択されたものを移動対象データとして設定する移動対象データ設定モジュールと、前記移動対象データの内容及び前記複数の記憶媒体のうち前記移動対象データを保持する記憶媒体以外のもののデータ記録状態に基づいて、前記移動対象データを保持する記憶媒体以外のものであって、前記複数の記憶媒体のうち前記移動対象データを退避させる記憶媒体を設定する退避用記憶媒体設定モジュールとを備えることを特徴とする。
【発明の効果】
【００１０】
本発明によれば、複数の記憶媒体で保持される画像データのうちユーザ選択されたものを移動対象データとして設定し、移動対象データの内容及び複数の記憶媒体のうち移動対象データを保持する記憶媒体以外のもののデータ記録状態に基づいて、移動対象データを保持する記憶媒体以外のものであって、複数の記憶媒体のうち移動対象データを退避させる記憶媒体を設定するので、別途機器を用意することなく、簡便にディスク間のデータ移動を実現することができる。
【００１１】
好ましくは、複数の記憶媒体のうち移動対象データを保持する記憶媒体以外のものの空き容量と移動対象データのデータ容量に基づいて、退避させる記憶媒体を設定するので、確実且つ簡便にディスク間のデータ移動を実現することができる。
【００１２】
好ましくは、複数の記憶媒体のうち移動対象データを保持する記憶媒体以外のものが保持する画像データの種類と移動対象データの種類に基づいて、退避させる記憶媒体を設定するので、確実且つ簡便にディスク間のデータ移動を実現することができる。
【００１３】
好ましくは、移動対象データを保持する記憶媒体が本体に装着されたときに、この移動対象データを保持する記憶媒体から移動対象データを画像処理装置内に移動し、設定された退避させる記憶媒体が本体に装着されたときに、画像処理装置内から移動対象データをこの設定された退避させる記憶媒体に移動するので、移動対象データを保持する記憶媒体内のデータを設定された退避させる記憶媒体に確実に移動することができる。
【００１４】
好ましくは、移動対象データを保持する記憶媒体から画像処理装置内への移動対象データの移動があったときに、移動対象データを保持する記憶媒体を回収する先の記憶媒体に設定し、画像処理装置内から設定された退避させる記憶媒体への移動対象データの移動があったときに、設定された退避させる記憶媒体を回収する元の記憶媒体に設定するので、退避データ回収処理を確実に行うことができる。
【００１５】
好ましくは、ユーザよりデータの回収指示があったときに、回収する先の記憶媒体として設定された記憶媒体を本体に装着する旨をユーザに通知し、回収する先の記憶媒体として設定された記憶媒体が本体に装着されたときに、この回収する先の記憶媒体として設定された記憶媒体の空き容量の情報を取得し、移動対象データのデータ容量に対して、取得した回収する先の記録媒体として設定された記憶媒体の空き容量が十分であるときに、回収する元の記憶媒体として設定された記憶媒体にある移動対象データを回収する先の記憶媒体として設定された記憶媒体に回収するので、別途機器を用意しなくても、退避データの回収を確実に行うことができる。
【００１６】
好ましくは、回収する元の記憶媒体として設定された記憶媒体が本体に装着されたときに、この回収する元の記憶媒体として設定された記憶媒体から移動対象データを画像処理装置内に移動し、回収する先の記憶媒体として設定された記憶媒体が本体に装着されたときに画像処理装置内から移動対象データを回収する元の記憶媒体として設定された記憶媒体に移動するので、退避データを回収する際のデータ移動を確実に行うことができる。
【発明を実施するための最良の形態】
【００１７】
以下、本発明の実施の形態を図面を用いて詳述する。
【００１８】
図１は、本発明の実施の形態に係る画像処理装置としてのビデオカメラの構成を概略的に示すブロック図である。
【００１９】
図１において、ビデオカメラ１００は、ディスク１６ａ，１６ｂ，１６ｃを本体に装着するＩ／Ｆ１６’を有するカムコーダであって、本体に内蔵され、その記憶容量がディスク１枚分程度である内蔵記憶媒体（以下「ＨＤＤ」という。）２０と、動画像信号を出力する撮像回路１０と、撮像回路１０の出力画像をフレーム単位で一時記憶するバッファメモリ１１と、バッファメモリ１１に記憶される画像をフレーム内で圧縮符号化する画像圧縮回路１２（Motion JPEG2000符号化回路）と、圧縮画像データをディスク状記録媒体に記録フォーマットに対応するフォーマットに変換する信号処理回路１３と、バッファメモリ１１に記録されている圧縮データを記録する記録回路１５と、ディスク１６ａ，１６ｂ，１６ｃの記録ヘッドの位置等を制御するヘッド制御回路１７と、ディスク１６ａ，１６ｂ，１６ｃの回転などを制御するディスク制御回路１８と、ビデオカメラ１００が過去撮影に利用したディスク１６ａ，１６ｂ，１６ｃを管理する管理回路１９と、マイクロコンピュータからなり、全体を制御するシステム制御回路２１と、システム制御回路２１にユーザが種々の指示を入力する操作装置２２と、動作状況などを表示する表示装置２３とを備える。
【００２０】
ディスク１６ａ，１６ｂ，１６ｃは、画像データ等のデジタルデータを保持する記録媒体であって、ビデオカメラ１００に装着されたときに、デジタルデータの書き込みや読み取りの管理がビデオカメラ１００のライブラリマネージャ機能により行われる。ディスク１６ａ，１６ｂ，１６ｃは、図７に示すように、空き容量が記憶容量全体の半分未満しかなく、長時間のデジタルデータの記録を行うことはできない状態となっている。
【００２１】
ＨＤＤ２０は、ディスク１６ａ，１６ｂ，１６ｃにデジタル画像データを書き込む際に空き容量を確保するため、すでにディスク１６ａ，１６ｂ，１６ｃに保持されているデータを一時退避するのに使用される記録媒体である。
【００２２】
本実施の形態では、ＨＤＤ２０の記憶容量はディスク１枚分程度としたが、これに限定されず、ディスク１６ａ，１６ｂ，１６ｃに保持されているデータを一時退避することができる程度の容量があればよい。
【００２３】
次に、ビデオカメラ１００のシステム制御回路２１による記録処理について説明する。
【００２４】
ビデオカメラ１００は、図７に示すように、３種類のディスク１６ａ，１６ｂ，１６ｃ中に保持されるデジタルデータを管理しており、各ディスクには複数のシーンが記録されている。
【００２５】
図２は、図１におけるシステム制御回路２１によって実行されるブランクディスク作成処理の手順を示すフローチャートである。
【００２６】
図２において、まず、システム制御部２１は、ユーザが操作装置２２により、ライブラリマネージャ画面の表示を要求したときに（ステップＳ２０１でＹＥＳ）、管理回路１９内のメモリに記憶されているディスク１６ａ，１６ｂ，１６ｃに関するライブラリ情報を読み出し、ライブラリマネージャ画面（図７）を表示する（ステップＳ２０２）。ライブラリマネージャ画面は、各ディスク１６ａ，１６ｂ，１６ｃに記録されているファイル名やサイズなどの記録ファイルに関する情報や、各ディスク１６ａ，１６ｂ，１６ｃの残容量などの情報を含むライブラリ情報を表示する画面である。本実施の形態では、システム制御回路２１によりライブラリマネージャ機能を実現しており、この機能により、ディスクに関する様々な情報（記録されているシーンのサムネイル，記録されているシーンの時間，残り容量等）を管理する。
【００２７】
次に、システム制御部２１は、ユーザが操作装置２２により、ディスク１６ａ，１６ｂ，１６ｃのいずれか１つ（本実施の形態ではディスク１６ｂ）を空にしたいディスク（ブランク化ディスク）として指定したときに（ステップＳ２０３でＹＥＳ）、後述する図３のデータ退避方法算出処理を実行して、ブランク化ディスクとして指定されたディスク１６ｂ中に保持されているデジタルデータの容量と他のディスク（一時保存用ディスク（バッファディスク）：ディスク１６ａ，１６ｃ）の空き容量とに基づいてデータ退避方法を算出する（ステップＳ２０４）。本実施の形態においては、シーンを退避データの単位として、図８に示したように退避するものとする。
【００２８】
続いて、退避方法が算出されたら、後述する図４のデータ退避処理を実行して、データの退避を行った後（ステップＳ２０５）、データ退避が終了したことを表示装置２３に表示して、その旨をユーザに通知し（ステップＳ２０６）、本処理を終了する。
【００２９】
図３は、図２のステップＳ２０４で実行されるデータ退避方法算出処理の手順を示すフローチャートである。
【００３０】
ライブラリ情報は、上述したサムネイルの情報の他、各ファイルについて本算出処理がされたときにＯＮ、まだされていないときにＯＦＦとなるフラグ情報を管理する。
【００３１】
図３において、まず、システム制御部２１は、ブランク化ディスク（ディスク１６ｂ）中に保持されているファイル毎のデータ容量をライブラリ情報から取得し（ステップＳ３００）、取得したファイルのフラグを全てＯＦＦにし（ステップＳ３０１）、また、カウンタｉ＝１とする（ステップＳ３０２）。
【００３２】
次に、フラグがＯＦＦとなっているファイルがあるか否かを判別し（ステップＳ３０３）、ないときは、直ちに本処理を終了し、あるときは、フラグがＯＦＦとなっているファイルのうち、最もデータ容量の大きいファイルを抽出する（ステップＳ３０４）。
【００３３】
一方、ディスク１６ａ，１６ｂ，１６ｃのうちブランク化ディスク（ディスク１６ｂ）以外のものからなるバッファディスクのうち、最も空き容量が大きいディスクを抽出し（ステップＳ３０５）、この抽出されたディスクの空き容量がステップＳ３０４で抽出されたファイルのデータ容量より大きいか否かを判別し（ステップＳ３０６）、大きくないときは、データ退避ができない旨を表示装置２３に表示して（ステップＳ３０７）、本処理を終了し、大きいときは、ステップＳ３０４で抽出されたファイルの移動先をステップＳ３０５で抽出されたカウンタｉのディスクに設定する（ステップＳ３０８）。その後、ライブラリ情報中のこのディスクの空き容量を現在の空き容量からステップＳ３０４で抽出されたファイルのデータ容量を差し引いた容量に再設定し（ステップＳ３０９）、カウンタｉを１つインクリメントし（ステップＳ３１０）、またステップＳ３０５で抽出されたファイルのフラグをＯＮにして（ステップＳ３１１）、ステップＳ３０３以降の処理を繰り返す。
【００３４】
図２及び図３の処理によれば、最も空き容量が大きいディスクとして抽出されたバッファディスクの空き容量が、最もデータ容量の大きいものとして抽出されたブランク化ディスク中に保持されているファイルの容量より大きいときに（ステップＳ３０６でＹＥＳ）、この抽出されたファイルの移動先を上記抽出されたディスクに設定するので（ステップＳ３０８）、別途機器を用意することなく、簡便且つ確実にディスク間のデータ移動を実現することができる。
【００３５】
また、本実施の形態では、ブランク化ディスク中に保持されているファイルの移動先となるバッファディスクを、その移動するファイルのデータ容量及びそのバッファディスクの空き容量に基づいて決定したが、その移動するファイルの内容及びそのバッファディスクのデータ記録状態に基づいて決定されるものであればこれに限定されるものでなく、例えば、その移動するファイルの種類及びそのバッファディスクに保持されるファイルの種類に基づいて決定してもよい。
【００３６】
図４は、図２のステップＳ２０５で実行されるデータ退避処理の手順を示すフローチャートである。
【００３７】
図４において、まず、システム制御部２１は、ブランク化ディスク（ディスク１６ｂ）の挿入指示を表示装置２２に表示し（ステップＳ４０１）、ブランク化ディスクがビデオカメラ１００本体に挿入されたとき（Ｉ／Ｆ１６’と接続されたとき）（ステップＳ４０２でＹＥＳ）、ブランク化ディスク内のデータをＨＤＤ２０に移動して一時退避させる（ステップＳ４０３）。このとき、ブランク化ディスクであったディスク（ディスク１６ｂ）を回収先記憶媒体として設定し、この設定された回収先記憶媒体をライブラリ情報に記憶する（ステップＳ４０４）。
【００３８】
その後、ブランク化ディスクの取り出しの指示を表示装置２２に表示し（ステップＳ４０５）、ブランク化ディスクが取り出されたことを確認したときに（ステップＳ４０６でＹＥＳ）、退避に利用するバッファディスクを数えるカウンタｉを「０」に初期化する（ステップＳ４０７）。
【００３９】
次に、退避に利用するディスク数Ｎの値がカウンタｉの値より大きいか否かを判別し（ステップＳ４０８）、大きくなく、等しいときは、本処理を終了し、一方、大きいときは、カウンタｉのバッファディスクの挿入の指示を表示装置２２に表示し（ステップＳ４０９）、カウンタｉのバッファディスクが挿入されたときに（ステップＳ４１０でＹＥＳ）、ＨＤＤ２０に一時退避したデータのうち図２のステップＳ２０４で算出されたデータをカウンタｉのバッファディスクに移動する（ステップＳ４１１）。このとき、カウンタｉのバッファディスク（ディスク１６ａ又はディスク１６ｃ）を回収元記憶媒体として設定し、この設定された回収元記憶媒体をライブラリ情報に記憶する（ステップＳ４１２）。
【００４０】
その後、カウンタｉのバッファディスクの取り出し指示を表示装置２２に表示し（ステップＳ４１３）、カウンタｉのバッファディスクが取り出されたことを確認したときに（ステップＳ４１４でＹＥＳ）、カウンタｉを１つインクリメントして（ステップＳ４１５）、ステップＳ４０８以降の処理を行う。
【００４１】
図４の処理によれば、ブランク化ディスク（ディスク１６ｂ）がビデオカメラ１００本体に装着されたときに（ステップＳ４０２でＹＥＳ）、ブランク化ディスク内のデータをＨＤＤ２０に移動し（ステップＳ４０３）、バッファディスクが挿入されたときに（ステップＳ４０９でＹＥＳ）、ＨＤＤ２０からバッファディスクに上記データを移動する（ステップＳ４１０）ので、ブランク化ディスク内のデータをバッファディスクに確実に移動することができる。
【００４２】
また、システム制御部２１は、ブランク化ディスク（ディスク１６ｂ）の挿入指示を表示装置２２に表示したり（ステップＳ４０１）、バッファディスクの挿入の指示を表示装置２２に表示したりするので（ステップＳ４０９）、ユーザはどのディスクを本体に挿入すればよいのかを簡便に把握することができる。
【００４３】
さらに、システム制御部２１は、ブランク化ディスク内のデータをＨＤＤ２０に移動したときに（ステップＳ４０３）、ブランク化ディスクであったディスク（ディスク１６ｂ）を回収先記憶媒体としてライブラリ情報に記憶し（ステップＳ４０４）、ＨＤＤ２０からカウンタｉのバッファディスクにデータを移動したときに（ステップＳ４１１）、カウンタｉのバッファディスク（ディスク１６ａ又は１６ｃ）を回収元記憶媒体としてライブラリ情報に記憶する（ステップＳ４１２）ので、後述する図５の退避データ回収処理を確実に行うことができる。
【００４４】
図５は、図１におけるシステム制御回路２１によって実行される退避データ回収処理の手順を示すフローチャートである。
【００４５】
図５において、まず、システム制御部２１は、ユーザが操作装置２２により退避データ回収を指示すると（ステップＳ５０１でＹＥＳ）、図４のステップＳ４０４でライブラリ情報に記憶された回収先記憶媒体（ディスク１６ｂ）の挿入指示を表示装置２２に表示し（ステップＳ５０２）、回収先記憶媒体がビデオカメラ１００本体に挿入されたとき（Ｉ／Ｆ１６’と接続されたとき）（ステップＳ５０３でＹＥＳ）、挿入された回収先記憶媒体の空き容量情報を取得し（ステップＳ５０４）、退避データのデータ容量に対して、上記取得した回収先記憶媒体の空き容量が十分であるか否かを判別し（ステップＳ５０５）、十分な空き容量がないときは、空き容量が不十分であることを表示装置２２に表示して（ステップＳ５０６）、本処理を終了する。
【００４６】
一方、ステップＳ５０５の判別の結果、十分な空き容量があるときは、後述する図６のデータ回収処理を実行して、元のディスクにデータを回収した後（ステップＳ５０７）、表示装置２２にデータ回収が終了した旨を表示し（ステップＳ５０８）、本処理を終了する。
【００４７】
図５の処理によれば、ユーザよりデータの回収指示があると（ステップＳ５０１でＹＥＳ）、回収先記憶媒体の挿入指示を表示装置２２に表示し（ステップＳ５０２）、回収先記憶媒体がビデオカメラ１００本体に装着されたときに（ステップＳ５０３でＹＥＳ）、当該回収先記憶媒体の空き容量の情報を取得し（ステップＳ５０４）、退避データのデータ容量に対して、上記取得した回収先記憶媒体の空き容量が十分であるときに（ステップＳ５０５でＹＥＳ）、退避データの回収を実行するので（ステップＳ５０７）、別途機器を用意しなくても、退避データの回収を確実に行うことができる。
【００４８】
図６は、図５のステップＳ５０５で実行されるデータ回収処理の手順を示すフローチャートである。
【００４９】
図６において、まず、システム制御部２１は、データが退避されている回収元記憶媒体を数えるカウンタｉを「０」に初期化する（ステップＳ６０１）。次に、退避に利用された回収元記憶媒体の総数Ｎよりｉが大きいか否かを判別し（ステップＳ６０２）、大きくないときは（ｉ＝Ｎ）、直ちに本処理を終了し、大きいときは、カウンタｉのバッファディスクの挿入の指示を表示装置２２に表示する（ステップＳ６０３）。
【００５０】
そして、カウンタｉの回収元記憶媒体がビデオカメラ１００の本体に挿入されたことを確認したときに（ステップＳ６０４でＹＥＳ）、カウンタｉの回収元記憶媒体からＨＤＤ２０へデータを移動して一時退避し（ステップＳ６０５）、回収先記憶媒体の挿入指示を表示装置２２に表示する（ステップＳ６０６）。この表示後、カウンタｉの回収元記憶媒体がビデオカメラ１００の本体から取り出され、回収先記憶媒体がビデオカメラ１００の本体に挿入されたときに（ステップＳ６０７でＹＥＳ）、ＨＤＤ２０にあるデータを回収先記憶媒体に移動する（ステップＳ６０８）。そして、カウンタｉを１つインクリメントして（ステップＳ６０９）、ステップＳ６０２以降の処理を繰り返す。
【００５１】
図６の処理によれば、ライブラリ情報にあるカウンタｉの回収元記憶媒体がビデオカメラ１００の本体に挿入されたときに（ステップＳ６０４でＹＥＳ）、カウンタｉの回収元記憶媒体からＨＤＤ２０へデータを移動し（ステップＳ６０５）、回収先記憶媒体がビデオカメラ１００の本体に装着されたときに（ステップＳ６０７でＹＥＳ）、ＨＤＤ２０にあるデータを回収先記憶媒体に移動する（ステップＳ６０８）ので、退避データを回収する際のデータ移動を確実に行うことができる。
【００５２】
本実施の形態においては、ブランク化ディスク内の全データを退避させたが、一部のデータを退避させるようにしてもよい。また、本実施の形態においては、退避データをブランク化ディスクに回収したが、これに限定されるものでなく、例えば、退避データに付属しているメタデータ等を基に、複数のディスクに入っているデータを、ＨＤＤ２０を経由して、ディスク毎に分類するようにしてもよい。
【００５３】
また、ディスク間のデータ移動にＨＤＤ２０を利用しているが、メモリカード等のリムーバルメディアを利用するようにしてもよい。さらに、本実施の形態では、データはシーン毎に移動させていたが、その他のデータ単位、例えば、チャプターや、チャプターより小さい任意のデータの集合毎に移動させるようにしてもよい。
【００５４】
また、本実施の形態では、ビデオデータ１００はカムコーダであったが、ＨＤＤ，ＤＶＤハイブリッド型レコーダ等、カムコーダ以外の機器であってもよい。
【００５５】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００５６】
この場合、記憶媒体から読み出されたプログラムコード自体が前述した実施形態の機能を実現することになり、そのプログラムコードを記憶した記憶媒体は本発明を構成することになる。
【００５７】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施形態の機能が実現される場合も含まれることは言うまでもない。
【００５８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【００５９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６０】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００６１】
【図１】本発明の実施の形態に係る画像処理装置としてのビデオカメラの構成を概略的に示すブロック図である。
【図２】図１におけるシステム制御回路によって実行されるブランクディスク作成処理の手順を示すフローチャートである。
【図３】図２のステップＳ２０４で実行されるデータ退避方法算出処理の手順を示すフローチャートである。
【図４】図２のステップＳ２０５で実行されるデータ退避処理の手順を示すフローチャートである。
【図５】図１におけるシステム制御回路によって実行される退避データ回収処理の手順を示すフローチャートである。
【図６】図５のステップＳ５０５で実行されるデータ回収処理の手順を示すフローチャートである。
【図７】ライブラリ情報を図示するライブラリマネージャ画面を示す図である。
【図８】ライブラリ情報を図示するライブラリマネージャ画面を示す図であり、（ａ）はデータ退避前を示し、（ｂ）はデータ退避後を示す。
【符号の説明】
【００６２】
１００  ビデオカメラ
１６ａ，１６ｂ，１６ｃ  ディスク
１６’  Ｉ／Ｆ
２０  ＨＤＤ
２１  システム制御回路
２２  操作装置
２３  表示装置
【図１】
2006101458.tif 000003
【図２】
2006101458.tif 000004
【図３】
2006101458.tif 000005
【図４】
2006101458.tif 000006
【図５】
2006101458.tif 000007
【図６】
2006101458.tif 000008
【図７】
2006101458.tif 000009
【図８】
2006101458.tif 000010